(57)【要約】【課題】利便性を高めたフィーチャーフォンタイプの携帯電話を提供する。【解決手段】フィーチャーフォンタイプの携帯電話１は、画面を表示するディスプレイ１０と、一の物理キー５２と、を備え、ディスプレイ１０に任意の画面を表示している際でも、その画面にノーティフィケーション画面を表示させることができるように、常に一の物理キー５２にノーティフィケーション画面を表示させる機能を割り当てることを特徴とする。【選択図】図１
2017138961.tif 000002
【特許請求の範囲】
【請求項１】
フィーチャーフォンタイプの携帯電話であって、
画面を表示するディスプレイと、
一の物理キーと、を備え、
前記ディスプレイに任意の画面を表示している際でも前記画面にノーティフィケーション画面を表示させることができるように、常に前記一の物理キーに前記ノーティフィケーション画面を表示させる機能を割り当てる、
ことを特徴とする、携帯電話。
【請求項２】
前記ディスプレイにロック画面以外の任意の画面を表示している際でも前記画面にノーティフィケーション画面を表示させることができるように、前記ロック画面を表示している時以外は常に前記一の物理キーに前記ノーティフィケーション画面を表示させる機能を割り当てる、請求項１に記載の携帯電話。
【請求項３】
前記ディスプレイにロック画面を表示している際は、前記一の物理キーに前記ノーティフィケーション画面を表示させる機能を割り当てない、請求項２に記載の携帯電話。
【請求項４】
前記ディスプレイにロック画面を表示している際は、前記一の物理キーを無効にする、請求項１または２に記載の携帯電話。
【発明の詳細な説明】
【技術分野】
【０００１】
本発明は、携帯電話に関する。より詳細には、本発明は、フィーチャーフォンタイプの携帯電話に関する。
【背景技術】
【０００２】
現在市販されているスマートフォンにおいては、タッチパネルを備えたディスプレイ上で、ユーザが画面上端から画面下方向にスライド（又はフリック）する操作に応じて、ノーティフィケーション画面を表示させることができるものがある。ところで、一般的なスマートフォンにおいては、表示される画面によってそれぞれ異なる操作画面（ＧＵＩ）を構成することができる。そして、このようなＧＵＩごとに、それぞれキーまたはアイコンが表示される位置を異ならせるのみならず、当該キーまたはアイコンの機能なども異ならせることができる。しかしながら、このようにディスプレイ上にどのような画面（又はＧＵＩ）を表示していても、スマートフォンにおいては、ユーザが画面上端から画面下方向にスライドする等の操作に応じて、ノーティフィケーション画面を表示させることができるものが多い。このように、スマートフォンにおいては、ディスプレイ上にどのような画面を表示していても、上述のような操作により、ノーティフィケーション画面を表示させることができるものが多い。
【０００３】
一方、フィーチャーフォンタイプの携帯電話においては、タッチパネルを備えていないものが多い。また、フィーチャーフォンタイプの携帯電話においては、物理キーの個数は多くない。このため、フィーチャーフォンタイプの携帯電話においては、各物理キーに割り当てられた機能は、ディスプレイの表示及び／又は携帯電話のモードなどに応じて、それぞれ異なるのが一般的である。このため、フィーチャーフォンタイプの携帯電話においては、スマートフォンのように、どの画面からでも特定の画面を表示させる、ということはできない。したがって、フィーチャーフォンタイプの携帯電話にノーティフィケーションの機能を搭載したとしても、スマートフォンのように使い勝手の良いノーティフィケーションの機能として利用することはできない。
【先行技術文献】
【特許文献】
【０００４】
【特許文献１】特開２０１４−６７２４７号公報
【発明の概要】
【発明が解決しようとする課題】
【０００５】
スマートフォンのみならず、フィーチャーフォンのような携帯電話においても、ノーティフィケーションの機能を簡単な操作で実現できれば、フィーチャーフォンタイプの携帯電話の利便性を高めることができる。
【０００６】
本発明の目的は、利便性を高めたフィーチャーフォンタイプの携帯電話を提供することにある。
【課題を解決するための手段】
【０００７】
本発明に係るフィーチャーフォンタイプの携帯電話は、
画面を表示するディスプレイと、
一の物理キーと、を備え、
前記ディスプレイに任意の画面を表示している際でも前記画面にノーティフィケーション画面を表示させることができるように、常に前記一の物理キーに前記ノーティフィケーション画面を表示させる機能を割り当てる、
ことを特徴とする。
【発明の効果】
【０００８】
本発明の実施形態によれば、フィーチャーフォンタイプの携帯電話の利便性を高めることができる。
【図面の簡単な説明】
【０００９】
【図１】本発明の実施形態に係る携帯電話の外観を示す図である。
【図２】本発明の実施形態に係る携帯電話の概略構成を示すブロック図である。
【図３】本発明の実施形態に係る携帯電話の動作の例を説明する図である。
【図４】図３に示す携帯電話のキーの機能の割り当てを示す図である。
【図５】本発明の実施形態に係る電子機器の動作の例を説明する図である。
【図６】本発明の実施形態に係る電子機器の動作の他の例を説明する図である。
【図７】図６に示す携帯電話のキーの機能の割り当てを示す図である
【図８】本発明の実施形態に係る携帯電話の動作の他の例を説明する図である。
【図９】図８に示す携帯電話のキーの機能の割り当てを示す図である
【発明を実施するための形態】
【００１０】
以下、本発明の実施形態について、図面を参照して説明する。
【００１１】
以下説明する発明の実施形態においては、フィーチャーフォンタイプの携帯電話の一例として、いわゆる折りたたみ式（フリップ型又はクラムシェル型）のフィーチャーフォンを想定して説明する。しかしながら、本発明の実施形態は、折りたたみ式の携帯電話に限定されるものではなく、キーボードがスライドして現れるスライド式、又はバー型（ストレート式）などのようなフィーチャーフォンとしてもよい。
【００１２】
ここで、本実施形態に係るフィーチャーフォンタイプの携帯電話は、例えば、ディスプレイと一体的に設けられたタッチパネル（以下、「タッチスクリーン」ともいう。）による操作に対応したＯＳ、例えばＡｎｄｒｏｉｄ（登録商標）がインストールされているが、タッチスクリーンを備えず、例えば物理キーによって操作される携帯電話である。また、本実施形態に係るフィーチャーフォンタイプの携帯電話は、タッチスクリーンを備え、当該タッチスクリーンによる操作を可能としながらも、当該操作と同様の操作を物理キーによっても操作可能な携帯電話であってもよい。この場合、本実施形態に係るフィーチャーフォンタイプの携帯電話は、タッチスクリーンによる全ての操作が物理キーによって操作可能であるものに限定されず、タッチスクリーンによる幾らかの操作が物理キーによっても操作可能であるものであってよい。
【００１３】
図１は、本発明の実施形態に係る携帯電話の外観を示す図である。
【００１４】
図１に示すように、本実施形態に係るフィーチャーフォンタイプの携帯電話１は、上部筐体２と下部筐体４とが、ヒンジ部５によって接続された折りたたみ式の携帯電話である。携帯電話１においては、上部筐体２と下部筐体４とが、例えばヒンジ部５を谷として折りたたみ可能に構成される。携帯電話１の外観構成については、従来良く知られた折りたたみ式フィーチャーフォンタイプの携帯電話と同様の構成とすることができるため、より詳細な説明は省略する。
【００１５】
図１に示すように、携帯電話１は、上部筐体２側において、スピーカ６と、ディスプレイ１０とを備えている。また、携帯電話１は、下部筐体４側において、マイク８と、各種の物理キーで構成される物理キー部（キーボード）１２を備えている。スピーカ６は、通話の際にユーザの耳に音声を出力し、マイク８は、通話の際にユーザの口から発される音声を取得する。スピーカ６及びマイク８は、一般的な携帯電話に採用されるものと同様のものとし得るため、より詳細な説明は省略する。物理キー部１２は、携帯電話１を操作するユーザの入力を検出する。
【００１６】
ディスプレイ１０は、液晶ディスプレイ、有機ＥＬディスプレイ、又は無機ＥＬディスプレイ等の表示デバイスである。ディスプレイ１０は、バックライトとして用いる光源又は発光素子を備えてもよい。ディスプレイ１０は、携帯電話１を操作するユーザに、文字、記号、画像、操作用オブジェクト（アイコン）等の画像など、各種の情報を表示する。
【００１７】
物理キー部１２は、センターキー（決定キー）２０、方向キー（カーソルキー）２２、メニューキー３２、メールキー３４、カメラキー３６、ウェブキー３８、通話開始キー４２、クリアキー４４、通話終了／電源キー４６、テンキー４８、及び３つのファンクションキー（第１機能キー５１，第２機能キー５２，及び第３機能キー５３）を含む。また、テンキー４８は、０から９までの数字キー及びその他の記号キーを含む。物理キー部１２を構成する各キーは、それぞれ、押しボタン式の自動復帰型スイッチなどで構成することができる。物理キー部１２を構成する各キーの機能は、一般的な携帯電話と同様にし得るため、より詳細な説明は省略する。また、図１においては、物理キー部１２を構成する各キーのキートップに刻印される文字又は記号などは、適宜、簡略化又は省略して示してある。
【００１８】
図２は、本発明の実施形態に係る携帯電話の概略構成を示すブロック図である。
【００１９】
図２に示すように、携帯電話１は、機能的な観点からは、ディスプレイ１０と、物理キー部１２と、コントローラ６０と、を備えている。また、携帯電話１は、図１において説明したように、携帯電話としての機能を実現するため、スピーカ６と、マイク８と、を備えている。また、図２に示すように、携帯電話１は、メモリ７０と、無線通信部８０と、を備えている。さらに、携帯電話１は、例えば写真又は動画の撮影を可能にするためのカメラ９０などを、適宜備えることができる。
【００２０】
コントローラ６０は、携帯電話１の各機能ブロックをはじめとして、携帯電話１の全体を制御及び管理するプロセッサで構成することができる。コントローラ６０は、制御手順を規定したプログラムを実行するＣＰＵ等のプロセッサとすることができる。コントローラ６０が実行するプログラムは、例えばメモリ７０又は外部の記憶媒体等に格納される。
【００２１】
メモリ７０は、半導体メモリ等の記憶装置で構成することができ、各種情報や携帯電話１を動作させるためのプログラム等を記憶するとともに、ワークメモリとしても機能する。メモリ７０は、例えばＲＡＭ及びＲＯＭなどを含んで構成することができる。メモリ７０は、コントローラ６０に特定の機能を実行させる、例えば、アプリケーションに対応する特定のプログラム、並びに電子メール（以下、単にメールと記す）などのテキストデータ、及び画像のデータなどを格納する。
【００２２】
無線通信部８０は、アンテナを介して例えば無線通信基地局などと無線通信することにより通信ネットワークに接続し、携帯電話１が通話及びデータ通信などを行うための機能を実現する。無線通信部８０は、通常のスマートフォン又はフィーチャーフォンが備える無線通信機能を実現する要素と同様に構成し得るため、より詳細な説明は省略する。
【００２３】
カメラ９０は、静止画又は動画を撮像することができるデジタルカメラの機能を実現する要素である。カメラ９０が撮像した静止画又は動画のデータは、例えばメモリ７０に保存することができる。カメラ９０は、通常のスマートフォン又はフィーチャーフォンが備えるカメラと同様に構成し得るため、より詳細な説明は省略する。
【００２４】
次に、本実施形態に係る携帯電話１の動作について説明する。
【００２５】
本実施形態に係る携帯電話１は、ノーティフィケーションの機能を簡単な操作で実現することにより、フィーチャーフォンタイプの携帯電話の利便性を高めるものである。ここで、ノーティフィケーションは、上述したように、例えば通話の不在着信及びメールの受信などをユーザに知らせるための、１又は複数の各種情報の通知とすることができる。また、ノーティフィケーション画面とは、上述したノーティフィケーション及び設定アイコンなどを表示可能な画面を意味とすることかできる。ノーティフィケーション画面は、典型的には１又は複数のノーティフィケーションを表示するための画面である。しかしながら、現在ノーティフィケーションがない場合であっても、その（ノーティフィケーションがない）旨をユーザに伝えるノーティフィケーション画面を表示可能にしてもよい。また、本実施形態においては、ノーティフィケーションを表示すべき所定のイベントが発生した時点において、ロック画面にノーティフィケーションを表示することができるものとする。
【００２６】
上述したように、フィーチャーフォンタイプの携帯電話においては、スマートフォンのように、どの画面からでも特定の画面を表示させる、ということはできない。したがって、フィーチャーフォンタイプの携帯電話にノーティフィケーションの機能を搭載したとしても、スマートフォンのように使い勝手の良いノーティフィケーションの機能として利用することはできない。
【００２７】
そこで、本実施形態においては、一の物理キーにノーティフィケーション画面を表示する機能を割り当てて、ディスプレイ１０の表示及び／又は携帯電話１のモードなどが変更されても、その一の物理キーの機能の割り当ては変更されないようにする。すなわち、本実施形態においては、ディスプレイ１０の表示及び／又は携帯電話１のモードなどによらず、同一の物理キーに、常にノーティフィケーション画面を表示する機能が割り当てられるようにする。ここで、他の機能を実行するために高い頻度で用いられる一の物理キーにノーティフィケーション画面を表示する機能を割り当てると、当該他の機能を実行したい場合に不都合を招来し得る。このため、本実施形態では、例えば３つのファンクションキー（第１機能キー５１，第２機能キー５２，及び第３機能キー５３）のいずれかに、ノーティフィケーション画面を表示する機能を割り当てることができる。以下、一例として、一の物理キーである第２機能キー５２に、ノーティフィケーション画面を表示する機能を割り当てる場合について説明する。
【００２８】
図３は、携帯電話１においてディプレイ１０に表示する画面の一例を示す図である。また、図４は、図３に示す画面をディプレイ１０に表示した際に、物理キー部１２を構成する各キーに割り当てられた機能の例を示す図である。
【００２９】
図３は、携帯電話１のディスプレイ１０においてメニュー画面を表示した状態を示している。図３に示すように、携帯電話１のメニュー画面においては、携帯電話１にインストールされた各種のアプリケーションを起動させることができる。例えば、図３に示すメニュー画面が表示された状態においては、方向キー２２の操作により起動するアプリケーションを選択して、センターキー２０の操作により選択されたアプリケーションを起動させることができる。また、図３に示すメニュー画面が表示された状態においては、例えば、テンキー４８を構成する数字キーの操作によっても、各数字キーに対応するアプリケーションを選択して起動することができる。
【００３０】
図４は、ディスプレイ１０に表示したメニュー画面において上述の各種操作に対応した動作を実現するために、物理キー部１２を構成する各キーに割り当てられた機能を示す図である。図４においては、物理キー部１２を構成する各キーと、当該各キーに割り当てられた機能とを対応させて示してある。本実施形態においては、上述のような動作を実現するために、図４に示すように、方向キー２２には、各方向に対応する選択項目の移動の機能が割り当てられる。また、センターキー２０には、選択項目を決定する機能、例えば選択されたアプリケーションを起動する機能（アルバムフォルダ、データフォルダ等においては、フォルダ内容を表示させる機能）が割り当てられる。さらに、テンキー４８を構成する各数字キーには、それぞれ対応するアプリケーションを起動する機能（アルバムフォルダ、データフォルダ等においては、フォルダ内容を表示させる機能）が割り当てられる。なお、図４において示す各キーに対する機能の割り当ては一例であり、他の割り当てを採用してもよい。また、図４においては、一部のキーに対する機能の割り当てを省略して示してある。
【００３１】
本実施形態においては、図４に示すように、ディスプレイ１０にメニュー画面を表示した際にノーティフィケーション画面を表示する機能を、第２機能キー５２に割り当てる。したがって、本実施形態においては、第２機能キー５２をユーザが押下する操作を検出すると、携帯電話１のコントローラ６０は、ノーティフィケーション画面を表示する機能を実行する。すなわち、本実施形態に係る携帯電話１は、図３に示すようなメニュー画面を表示している状態で、ユーザが第２機能キー５２を押下したことを検出すると、図５に示すようなノーティフィケーション画面を表示する。図５においては、携帯電話１のディスプレイ１０には、不在着信およびメール受信のノーティフィケーション画面が表示されている。
【００３２】
図４においては、第１機能キー５１にはユーザ割当機能Ａ１が割り当てられ、第３機能キー５３にはユーザ割当機能Ａ３が割り当てられている様子を示してある。このように、第１機能キー５１及び第３機能キー５３には、それぞれユーザが良く使用する所定の機能Ａ１及びＡ３などを割り当て可能にしてもよい。また、このような場合であっても、携帯電話１にノーティフィケーションの機能を搭載する場合には、第２機能キー５２には、ノーティフィケーション画面を表示する機能以外の機能の割り当てができないようにしてもよい。
【００３３】
このように、本実施形態に係る携帯電話１によれば、フィーチャーフォンタイプの携帯電話において、メニュー画面を表示している状態でも、簡単な操作によってノーティフィケーション画面を表示させることができる。
【００３４】
図６は、携帯電話１においてディプレイ１０に表示する画面の他の例を示す図である。また、図７は、図６に示す画面をディプレイ１０に表示した際に、物理キー部１２を構成する各キーに割り当てられた機能の例を示す図である。
【００３５】
図６は、携帯電話１のディスプレイ１０において通話の画面を表示した状態を示している。図６に示すように、携帯電話１の通話画面においては、例えば、テンキー４８を構成する各数字キーを用いて、通話相手の電話番号を入力することができる。また、携帯電話１の通話画面においては、例えば、メールキー３４の押下に応じて、電話帳に予め登録された電話番号のデータを読み出すことができる。
【００３６】
図７は、ディスプレイ１０に表示した通話画面において上述の各種操作に対応した動作を実現するために、物理キー部１２を構成する各キーに割り当てられた機能を示す図である。図７においても、物理キー部１２を構成する各キーと、当該各キーに割り当てられた機能とを対応させて示してある。本実施形態においては、上述のような動作を実現するために、図７に示すように、テンキー４８を構成する各数字キーには、それぞれ対応する数字を入力する機能が割り当てられる。また、メールキー３４には、電話帳を表示する機能が割り当てられる。
【００３７】
本実施形態においては、図７に示すように、ディスプレイ１０に通話画面を表示した際にノーティフィケーション画面を表示する機能を、第２機能キー５２に割り当てる。したがって、本実施形態においては、ここでも、第２機能キー５２をユーザが押下する操作を検出すると、携帯電話１のコントローラ６０は、ノーティフィケーション画面を表示する機能を実行する。すなわち、本実施形態に係る携帯電話１は、図６に示すような通話画面を表示している状態で、ユーザが第２機能キー５２を押下したことを検出すると、図５に示すようなノーティフィケーション画面を表示する。
【００３８】
図７においては、第１機能キー５１にはユーザ割当機能Ｂ１が割り当てられ、第３機能キー５３にはユーザ割当機能Ｂ３が割り当てられている様子を示してある。このように、第１機能キー５１及び第３機能キー５３には、それぞれユーザが良く使用する所定の機能であって、例えばＡ１及びＡ３とは異なる機能Ｂ１及びＢ２などを割り当て可能にしてもよい。また、このような場合であっても、携帯電話１にノーティフィケーションの機能を搭載する場合には、第２機能キー５２には、ノーティフィケーション画面を表示する機能以外の機能の割り当てができないようにしてもよい。
【００３９】
このように、本実施形態に係る携帯電話１によれば、フィーチャーフォンタイプの携帯電話において、通話画面を表示している状態でも、簡単な操作によってノーティフィケーション画面を表示させることができる。
【００４０】
図８は、携帯電話１においてディプレイ１０に表示する画面の他の例を示す図である。また、図９は、図８に示す画面をディプレイ１０に表示した際に、物理キー部１２を構成する各キーに割り当てられた機能の例を示す図である。
【００４１】
図８は、携帯電話１のディスプレイ１０において新規メール作成の画面を表示した状態を示している。図８に示すように、携帯電話１の通話画面においては、例えば、テンキー４８を構成する各数字キーを用いて、メールの文字を入力することができる。また、携帯電話１の通話画面においては、例えば、メニューキー３２の押下に応じて、カナ文字の入力と英数文字の入力とを切り替えることができる。
【００４２】
図９は、ディスプレイ１０に表示した通話画面において上述の各種操作に対応した動作を実現するために、物理キー部１２を構成する各キーに割り当てられた機能を示す図である。図９においても、物理キー部１２を構成する各キーと、当該各キーに割り当てられた機能とを対応させて示してある。本実施形態においては、上述のような動作を実現するために、図９に示すように、テンキー４８を構成する各数字キーには、それぞれ対応する行の文字を入力する機能が割り当てられる。また、メニューキー３２には、カナ／英数の入力文字を切り替える機能が割り当てられる。
【００４３】
本実施形態においては、図９に示すように、ディスプレイ１０に通話画面を表示した際にノーティフィケーション画面を表示する機能を、第２機能キー５２に割り当てる。したがって、本実施形態においては、ここでも、第２機能キー５２をユーザが押下する操作を検出すると、携帯電話１のコントローラ６０は、ノーティフィケーション画面を表示する機能を実行する。すなわち、本実施形態に係る携帯電話１は、図８に示すようなメール作成画面を表示している状態で、ユーザが第２機能キー５２を押下したことを検出すると、図５に示すようなノーティフィケーション画面を表示する。
【００４４】
図９においては、第１機能キー５１にはユーザ割当機能Ｃ１が割り当てられ、第３機能キー５３にはユーザ割当機能Ｃ３が割り当てられている様子を示してある。このように、第１機能キー５１及び第３機能キー５３には、それぞれユーザが良く使用する所定の機能であって、例えばＡ１及びＡ３並びにＢ１及びＢ２とは異なる機能Ｃ１及びＣ２などを割り当て可能にしてもよい。また、このような場合であっても、携帯電話１にノーティフィケーションの機能を搭載する場合には、第２機能キー５２には、ノーティフィケーション画面を表示する機能以外の機能の割り当てができないようにしてもよい。
【００４５】
このように、本実施形態に係る携帯電話１によれば、フィーチャーフォンタイプの携帯電話において、メール作成画面を表示している状態でも、簡単な操作によってノーティフィケーション画面を表示させることができる。
【００４６】
ところで、携帯電話１のようなフィーチャーフォンにおいては、例えば電源投入時または折りたたみ状態から開いた時などに、セキュリティ又は誤操作防止などの観点から、例えば図１に示すようなロック画面を表示する仕様を採用することが多い。このようなロック画面においては、一般的に、限られた操作以外の操作を無効化することが多い。本実施形態に係る携帯電話１は、このようなロック画面が表示された状態においても、ユーザが第２機能キー５２を押下したことを検出すると、図５に示すようなノーティフィケーション画面を表示してもよい。この場合、ディスプレイ１０にロック画面が表示される際でも、ディスプレイ１０にノーティフィケーション画面を表示する機能を、第２機能キー５２に割り当てて、第２機能キー５２に対する入力を無効化しないようにする。
【００４７】
一方、このようなロック画面が表示された状態においては、その本来の目的に鑑みれば、操作が許可される（操作が無効化されていない）物理キーは、可能な限り少なくすることが望ましい。したがって、本実施形態に係る携帯電話１は、このようなロック画面が表示された状態においては、図５に示すようなノーティフィケーション画面を表示しないようにしてもよい。この場合、ディスプレイ１０にロック画面が表示される際は、ディスプレイ１０にノーティフィケーション画面を表示する機能を、第２機能キー５２に割り当てないようにすることができる。また、ディスプレイ１０にロック画面が表示される際は、ディスプレイ１０にノーティフィケーション画面を表示する機能を第２機能キー５２に割り当てつつ、第２機能キー５２に対する入力を無効化することもできる。
【００４８】
以上説明したように、本実施形態に係る携帯電話１は、ディスプレイ１０に任意の画面を表示している際でも、その画面にノーティフィケーション画面を表示させることができるように、常に一の物理キー５２にノーティフィケーション画面を表示させる機能を割り当てる。ここで、本実施形態に係る携帯電話１は、ディスプレイ１０にロック画面以外の任意の画面を表示している際でも、その画面にノーティフィケーション画面を表示させることができるようにしてもよい。このため、本実施形態に係る携帯電話１は、ロック画面を表示している時以外は、常に前記一の物理キー５２にノーティフィケーション画面を表示させる機能を割り当ててもよい。
【００４９】
また、本実施形態に係る携帯電話１は、ディスプレイ１０にロック画面を表示している際は、前記一の物理キー５２にノーティフィケーション画面を表示させる機能を割り当てないようにしてもよい。また、本実施形態に係る携帯電話１は、ディスプレイ１０にロック画面を表示している際は、前記一の物理キー５２を無効にしてもよい。
【００５０】
このように、本実施形態に係る携帯電話１によれば、フィーチャーフォンタイプの携帯電話において、ディスプレイ１０がどのような画面を表示している状態においても、簡単な操作により、ノーティフィケーション画面を表示することができる。したがって、本実施形態に係る携帯電話１によれば、フィーチャーフォンタイプの携帯電話の利便性を高めることができる。
【００５１】
なお、上記の実施形態においては、同一の物理キー（第２機能キー５２）に、常にノーティフィケーション画面を表示する機能が割り当てられる構成を例示してきた。しかしながら、本発明の実施形態は、このような構成に限定されず、ユーザの設定により、任意の物理キーに、常にノーティフィケーション画面を表示する機能を割り当てるようにしてよい。
【００５２】
また、上記の実施形態においては、同一の物理キー（第２機能キー５２）に、常にノーティフィケーション画面を表示する機能が割り当てられる構成を例示してきたが、このような構成に限定されない。例えば、本発明の実施形態において、同一の物理キー（第２機能キー５２）に、常にノーティフィケーション画面を表示する第１機能と他の第２機能（例えば、ノーティフィケーション画面以外の画面を表示する機能）とを割り当て、第２機能キー５２に対する操作内容の違いによって、第１機能と第２機能を実行するようにしてよい。この場合、例えば、携帯電話１は、第２機能キー５２が押下されてから所定時間内にリリースされた場合（短押し）には第１機能と第２機能の内の一方を実行し、第２機能キー５２が押下されてから所定時間内にリリースされなかった場合（長押し）には第１機能と第２機能の内の他方を実行する。
【００５３】
本発明を諸図面および実施例に基づき説明してきたが、当業者であれば本開示に基づき種々の変形および修正を行うことが容易であることに注意されたい。したがって、これらの変形および修正は本発明の範囲に含まれることに留意されたい。例えば、各機能部、各手段、各ステップなどに含まれる機能などは論理的に矛盾しないように再配置可能であり、複数の機能部およびステップなどを１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【符号の説明】
【００５４】
１  携帯電話
２  上部筐体
４  下部筐体
５  ヒンジ部
６  スピーカ
８  マイク
１０  ディスプレイ
１２  物理キー部
２０  センターキー（決定キー）
２２  方向キー（カーソルキー）
３２  メニューキー
３４  メールキー
３６  カメラキー
３８  ウェブキー
４２  通話開始キー
４４  クリアキー
４６  通話終了／電源キー
４８  テンキー（ダイヤルキー）
５１  第１機能キー
５２  第２機能キー（一の物理キー）
５３  第３機能キー
６０  コントローラ
７０  メモリ
８０  無線通信部
９０  カメラ
【図１】
2017138961.tif 000003
【図２】
2017138961.tif 000004
【図３】
2017138961.tif 000005
【図４】
2017138961.tif 000006
【図５】
2017138961.tif 000007
【図６】
2017138961.tif 000008
【図７】
2017138961.tif 000009
【図８】
2017138961.tif 000010
【図９】
2017138961.tif 000011